(57)【要約】【課題】モバイル端末機用ホットトピック・キーワード関連文書提供システム、方法及びコンピュータ読み取り可能な記録媒体を提供する。【解決手段】モバイル端末機用ホットトピック・キーワード関連文書提供システムに係り、該モバイル端末機用ホットトピック・キーワード関連文書提供システムは、ユーザ端末からのホットトピック・キーワードビューア要請に基づいて、ホットトピック・キーワードと関連度が最も高い文書を最終選択する文書選択部、最終選択された文書を、ユーザ端末に最適化された文書として加工する文書加工部、及びユーザ端末から、ホットトピック・キーワードビューア要請を受信し、加工された最適化された文書を、ユーザ端末に伝送する送受信部を含む。【選択図】図３
2014132458.tif 000002
【特許請求の範囲】
【請求項１】
ユーザ端末からのホットトピック・キーワードビューア要請に基づいて、ホットトピック・キーワードと関連度が最も高い文書を最終選択する文書選択部と、
最終選択された前記文書を、前記ユーザ端末に最適化された文書として加工する文書加工部と、
前記ユーザ端末から、前記ホットトピック・キーワードビューア要請を受信し、加工された前記最適化された文書を、前記ユーザ端末に伝送する送受信部と、を含むモバイル端末機用ホットトピック・キーワード関連文書提供システム。
【請求項２】
前記文書選択部は、前記ホットトピック・キーワードに基づいた検索結果として導き出された文書のうち、クリック数が最も多い文書を、関連度が最も高い文書として最終選択することを特徴とする請求項１に記載のモバイル端末機用ホットトピック・キーワード関連文書提供システム。
【請求項３】
信頼度が高い文書の出所を含むホワイトリスト、及び信頼度が低い文書の出所を含むブラックリストを含むデータベースをさらに含み、
前記文書選択部は、前記ホットトピック・キーワードに基づいた検索結果として導き出された文書のうち、前記ホワイトリストに含まれた文書に限定して最終選択するか、あるいは前記ブラックリストに含まれた文書を最終選択から排除することを特徴とする請求項１または２に記載のモバイル端末機用ホットトピック・キーワード関連文書提供システム。
【請求項４】
前記文書選択部は、
前記ホットトピック・キーワードに基づいた検索結果として導き出された文書のうち、クリック数が最も多い順に特定件数を一次選択し、
前記一次選択された文書のうち、イメージが含まれ、クリック数が最も多い文書を、関連度が最も高い文書として最終選択することを特徴とする請求項１ないし３のうちいずれか１項に記載のモバイル端末機用ホットトピック・キーワード関連文書提供システム。
【請求項５】
前記文書選択部は、
前記一次選択された文書内に含まれたイメージを比較し、同一であるか、あるいは類似していないイメージが含まれた文書を最終選択から除外することを特徴とする請求項４に記載のモバイル端末機用ホットトピック・キーワード関連文書提供システム。
【請求項６】
前記文書選択部は、
前記一次選択された文書のうち、クリック数が最も多い文書を、関連度が最も高い文書として最終選択するが、
最終選択された前記文書がイメージを含んでいなかったり、あるいは不適なイメージを含む場合、前記一次選択された文書内に含まれた不適ではないイメージ、またはそのＵＲＬ（uniform resource locator）のみをさらに抽出することを特徴とする請求項５に記載のモバイル端末機用ホットトピック・キーワード関連文書提供システム。
【請求項７】
前記不適なイメージは、
サイズが特定サイズ以下である場合、または縦横比が特定の比率以上である場合のうち少なくとも一つを含むことを特徴とする請求項６に記載のモバイル端末機用ホットトピック・キーワード関連文書提供システム。
【請求項８】
前記ユーザ端末がモバイル端末機であるか否かということ、及び前記ユーザ端末の画面サイズを判断する端末機判断部をさらに含み、
前記文書加工部は、最終選択された前記文書内に含まれたイメージが、判断された前記画面サイズに最適化されるように変換することを特徴とする請求項１ないし７のうちいずれか１項に記載のモバイル端末機用ホットトピック・キーワード関連文書提供システム。
【請求項９】
前記端末機判断部は、
前記ユーザ端末から受信されたＨＴＴＰ（hypertext transfer protocol）リクエストヘッダに基づいて、前記ユーザ端末がモバイル端末機であるか否かを判断することを特徴とする請求項８に記載のモバイル端末機用ホットトピック・キーワード関連文書提供システム。
【請求項１０】
ホットトピック・キーワード・サーバによって実行され、
ユーザ端末から、ホットトピック・キーワードビューア要請を受信し、
前記受信された要請に基づいて、前記ホットトピック・キーワードと関連度が最も高い文書を最終選択し、
最終選択された前記文書を、前記ユーザ端末に最適化された文書として加工し、
前記最適化された文書は、前記ユーザ端末に伝送される、
ことを特徴とするモバイル端末機用ホットトピック・キーワード関連文書提供方法。
【請求項１１】
前記ホットトピック・キーワードと関連度が最も高い文書を最終選択することは、
前記ホットトピック・キーワードに基づいた検索結果として導き出された文書のうち、クリック数が最も多い文書を、関連度が最も高い文書として最終選択することを特徴とする請求項１０に記載のモバイル端末機用ホットトピック・キーワード関連文書提供方法。
【請求項１２】
前記ホットトピック・キーワードと関連度が最も高い文書を最終選択することは、
前記ホットトピック・キーワードに基づいた検索結果として導き出された文書のうち、ホワイトリストに含まれた文書に限定して選択するか、あるいはブラックリストに含まれた文書を最終選択から排除することをさらに含み、
前記ホワイトリストは、信頼度が高い文書の出所を含み、前記ブラックリストは、信頼度が低い文書の出所を含むことを特徴とする請求項１０または１１に記載のモバイル端末機用ホットトピック・キーワード関連文書提供方法。
【請求項１３】
前記ホットトピック・キーワードと関連度が最も高い文書を最終選択することは、
前記ホットトピック・キーワードに基づいた検索結果として導き出された文書のうち、クリック数が最も多い順に特定件数を一次選択し、
前記一次選択された文書のうち、イメージが含まれ、クリック数が最も多い文書を、関連度が最も高い文書として最終選択すること、をさらに含むことを特徴とする請求項１０ないし１２のうちいずれか１項に記載のモバイル端末機用ホットトピック・キーワード関連文書提供方法。
【請求項１４】
前記一次選択された文書のうち、イメージが含まれ、クリック数が最も多い文書を、関連度が最も高い文書として最終選択することは、
前記一次選択された文書内に含まれたイメージを比較し、同一であるか、あるいは類似していないイメージが含まれた文書を選択から除外することをさらに含むことを特徴とする請求項１３に記載のモバイル端末機用ホットトピック・キーワード関連文書提供方法。
【請求項１５】
前記一次選択された文書のうち、イメージが含まれ、クリック数が最も多い文書を、関連度が最も高い文書として最終選択することは、
前記一次選択された文書のうち、クリック数が最も多い文書を、関連度が最も高い文書として最終選択するが、
最終選択された前記文書がイメージを含んでいなかったり、あるいは不適なイメージを含む場合、前記一次選択された文書内に含まれた不適ではないイメージまたはそのＵＲＬ（uniform resource locator）のみを抽出することをさらに含むことを特徴とする請求項１３または１４に記載のモバイル端末機用ホットトピック・キーワード関連文書提供方法。
【請求項１６】
前記不適なイメージは、
サイズが特定サイズ以下である場合、または縦横比が特定の比率以上である場合のうち少なくとも一つを含むことを特徴とする請求項１５に記載のモバイル端末機用ホットトピック・キーワード関連文書提供方法。
【請求項１７】
前記ユーザ端末がモバイル端末機であるか否かということ、及び前記ユーザ端末の画面サイズを判断することをさらに含み、
前記最終選択された前記文書を、前記ユーザ端末に最適化された文書として加工することは、最終選択された前記文書内に含まれたイメージが、判断された前記画面サイズに最適化されるように変換することを含むことを特徴とする請求項１０ないし１６のうちいずれか１項に記載のモバイル端末機用ホットトピック・キーワード関連文書提供方法。
【請求項１８】
前記ユーザ端末がモバイル端末機であるか否かということ、及び前記ユーザ端末の画面サイズを判断することは、
前記ユーザ端末から受信されたＨＴＴＰ（hypertext transfer protocol）リクエストヘッダに基づいて、前記ユーザ端末がモバイル端末機であるか否かを判断することを特徴とする請求項１７に記載のモバイル端末機用ホットトピック・キーワード関連文書提供方法。
【請求項１９】
請求項１０ないし１８のうち、いずれか１項に記載の方法をコンピュータに実行させるためのプログラムが記録されていることを特徴とするコンピュータ読み取り可能な記録媒体。
【発明の詳細な説明】
【技術分野】
【０００１】
本発明は、モバイル端末機用ホットトピック・キーワード関連文書提供システムに係り、さらに詳細には、インターネットユーザの主な関心事を示す要素として集計されるホットトピック・キーワードと係わる適合文書を、モバイル端末機に最適化させて提供するためのモバイル端末機用ホットトピック・キーワード関連文書提供システム、方法及びコンピュータ読み取り可能な記録媒体に関する。
【背景技術】
【０００２】
今日、インターネットの広範囲な普及は、今や有線を超え、無線移動通信技術への急激な発展をもたらし、実生活においても、携帯電話、ＰＤＡ（personal digital assistant）、ハンドヘルド（hand-held）コンピュータなどの携帯用端末機を介したインターネット上での情報検索が、時間と場所とにかかわりなく可能になった。
【０００３】
一方、最近市場に出回っているスマートフォンの性能が向上するにつれて、一般携帯電話からスマートフォンに、多くのユーザが乗り換えている。スマートフォンとは、従来の携帯電話に、コンピュータ支援機能を追加した知能型端末機であり、携帯電話機能に忠実でありながらも、個人携帯情報端末機（ＰＤＡ）機能、インターネット機能、動画再生機能などが追加され、多様な入力方式やタッチパネルなどが具備され、便利なインターフェースが提供されている。また、無線インターネット機能の支援により、インターネット及びコンピュータに接続され、電子メール、ウェブブラウジング、ファックス、ネットバンキング、ゲームなどの端末機としての機能も有する。
【０００４】
特に、スマートフォンを利用すれば、いつどこでも便利にインターネットに接続することが可能であるので、ほとんどのユーザは、スマートフォンを利用してウェブブラウジングを介した情報検索を行っている。しかし、ほとんどのスマートフォンは、携帯機能を強化するために、その画面サイズが、大方のデスクトップ・コンピュータに比べて小さいので、従来のデスクトップ・コンピュータ用に設計されたウェブサイトを利用して情報検索を行う場合、さまざまな不都合が発生するという問題点がある。
【０００５】
一方、検索エンジンを提供するウェブサイトは、ユーザの嗜好や関心度、または最新の流行や傾向などを把握するために、多様なキーワード（検索語）を提供しており、かようなキーワードの例としては、リアルタイム急上昇検索ワード、関連検索ワード、推薦検索ワード、人気検索ワードまたはホットトピック・キーワードなどがある。
【０００６】
このうち、ホットトピック・キーワードについては、本出願人が現在サービスを提供している検索エンジン提供ウェブサイトであるネイバー顧客センター（非特許文献１）で詳細に開示されている。
【０００７】
非特許文献１を参照すれば、ホットトピック・キーワードは、ニュース、またはインターネットユーザが使用するカフェ、ブログそしてミートゥデイ（me2day）やツイッター（米国登録商標）などのような多様なＳＮＳ（social network service）などで生産された文書を基に多く言及されている単語を集計したキーワードであり、既定の基準時間内に生産された文書のうち当該単語の露出頻度、そして増加率に基づいた固有ロジックによって点数を付けて順位を決定する。
【０００８】
すなわち、ホットトピック・キーワードは、既定の基準時間内に、インターネットユーザによって作成されたり、あるいはニュースとして作成されたりした文書のうち、最も多く露出された文書に共通して含まれたキーワードに該当するので、当該時間内にインターネットユーザの主な関心事を示す主な要素と見なすことができ、検索エンジンのウェブサイトを利用するユーザによる多くの関心が集中していることを意味する。
【０００９】
しかし、従来のデスクトップ用に設計された検索エンジン・ウェブサイトのＵＩ（user interface）では、図１Ａに図示されているように、右側中段に、ホットトピック・キーワードリストが提供され、ユーザのクリックなど、特定のホットトピック・キーワードが選択された時に、選択されたホットトピック・キーワードを検索キーワードにした検索結果を提供している。
【００１０】
また、スマートフォン用に設計された検索エンジン・ウェブサイトのＵＩでは、図１Ｂに図示されているように、画面サイズに限界があるので、ホットトピック・キーワードを提供する領域を別途設けておらず、Ａ部分に表示された部分をタッチして提供される図１ＣのようなＵＩで、ホットトピック・キーワードタブを選択した後、当該キーワードをクリックしても、図１Ｄのように、選択したホットトピック・キーワードに係わる検索結果、及びホットトピック・キーワードリストが提供される。
【００１１】
前述のように、従来提供されているホットトピック・キーワード・サービスでは、ホットトピック・キーワードと直接的に最も関連した適合文書を提示せず、選択されたホットトピック・キーワードを利用した検索結果のみを提供している。しかし、ほとんどのホットトピック・キーワードは、特定の主題に係わるニュース記事、またはユーザ個人のポスティング（posting）が、他の媒体、または他のユーザによってスクラップ（scrap）、すなわち、そのまま複製されたり、あるいは若干の内容だけ加減して再生産されたりしたものが一般的である。したがって、ホットトピック・キーワード・サービスを利用するユーザは、ホットトピック・キーワードと係わる適合文書の検索結果から、再び探し出してクリックしなければならないという不都合があった。
【００１２】
特に、ホットトピック・キーワード・サービスに係わる多くのインターネットユーザの関心を悪用しようと、ホットトピック・キーワードと関連性のない文書に、広報、広告などの目的で、単にホットトピック・キーワードと同一のキーワードのみを文書内に含む場合がある。前述の場合には、文書自体が、たとえホットトピック・キーワードと関連性がないとしても、ホットトピック・キーワードを検索キーワードにする検索結果には露出されるので、インターネットユーザがホットトピック・キーワードと係わる適合文書ではない関連性のない文書にアクセスしてしまうという問題点が存在した。
【００１３】
一方、ホットトピック・キーワードと係わる大多数の文書は、特定イメージ、及びその説明に係わる内容に該当するが、ホットトピック・キーワード・サービスを利用するほとんどのインターネットユーザは、関連文書に記載された内容よりは、文書に含まれたイメージ自体にさらに関心がある場合が多い。従来提供されているホットトピック・キーワード・サービスの場合、検索結果のみを提供するので、イメージを優先させて見せることができず、特に、モバイル端末機では、画面サイズに合わせてイメージが縮小されるので、利用するのにさらに不便であるという問題点が存在した。
【００１４】
従って、かような従来のホットトピック・キーワード・サービスの問題点を解決し、インターネットユーザが関心を有するホットトピック・キーワードと係わる適合文書を抽出し、特に、文書内に含まれたイメージを優先して提供するサービスに対する必要性が要求されている。
【先行技術文献】
【非特許文献】
【００１５】
【非特許文献１】ネイバー顧客センターウェプページ検索語サービス詳細分類のうちホットトピック・キーワード（http://help.naver.com/ops/step2/faq.nhnfcatid=12713)(2011.08.02.)
【発明の概要】
【発明が解決しようとする課題】
【００１６】
本発明が解決しようとする課題は、ホットトピック・キーワードを検索キーワードにして検索される検索結果のうち、ホットトピック・キーワードと最も関連した適合文書をユーザに直接提供することができるモバイル端末機用ホットトピック・キーワード関連文書提供システム、方法及びコンピュータ読み取り可能な記録媒体を提供することにある。
【００１７】
本発明が解決しようとする他の課題は、ホットトピック・キーワードを検索キーワードにして検索される検索結果のうち、ホットトピック・キーワードと最も関連した適合文書内のイメージを、優先してモバイル端末機に適して提供することができるモバイル端末機用ホットトピック・キーワード関連文書提供システム、方法及びコンピュータ読み取り可能な記録媒体を提供することにある。
【００１８】
本発明のさらに他の目的は、悪意の目的で文書内にホットトピック・キーワードを挿入したが、実際にはホットトピック・キーワードと関連性のない文書をユーザに提供することを排除することができる、モバイル端末機用ホットトピック・キーワード関連文書提供システム、方法及びコンピュータ読み取り可能な記録媒体を提供することにある。
【課題を解決するための手段】
【００１９】
前述のような本発明の目的を達成し、後述する本発明の特有の効果を達成するための本発明の特徴的な構成は、下記の通りである。
【００２０】
本発明の一実施形態において、モバイル端末機用ホットトピック・キーワード関連文書提供システムは、ユーザ端末からのホットトピック・キーワードビューア要請に基づいて、前記ホットトピック・キーワードと関連度が最も高い文書を最終選択する文書選択部、最終選択された前記文書を、前記ユーザ端末に最適化された文書として加工する文書加工部、及び前記ユーザ端末から、前記ホットトピック・キーワードビューア要請を受信し、加工された前記最適化された文書を、前記ユーザ端末に伝送する送受信部を含む。
【００２１】
望ましくは、前記文書選択部は、前記ホットトピック・キーワードに基づいた検索結果として導き出された文書のうち、クリック数が最も多い文書を、関連度が最も高い文書として最終選択する。
【００２２】
望ましくは、前記システムは、信頼度が高い文書の出所を含むホワイトリスト、及び信頼度が低い文書の出所を含むブラックリストを含むデータベースをさらに含み、前記文書選択部は、前記ホットトピック・キーワードに基づいた検索結果として導き出された文書のうち、前記ホワイトリストに含まれた文書に限定して最終選択するか、あるいは前記ブラックリストに含まれた文書を最終選択から排除する。
【００２３】
望ましくは、前記文書選択部は、前記ホットトピック・キーワードに基づいた検索結果として導き出された文書のうち、クリック数が最も多い順に特定件数を一次選択し、前記一次選択された文書のうち、イメージが含まれてクリック数が最も多い文書を、関連度が最も高い文書として最終選択する。
【００２４】
望ましくは、前記文書選択部は、前記一次選択された文書内に含まれたイメージを比較し、同一であったり、あるいは類似していないイメージが含まれた文書を最終選択から除く。
【００２５】
望ましくは、前記文書選択部は、前記一次選択された文書のうち、クリック数が最も多い文書を、関連度が最も高い文書として最終選択するが、最終選択された前記文書が、イメージを含んでいなかったり、あるいは不適なイメージを含む場合、前記一次選択された文書内に含まれた不適ではないイメージ、またはそのＵＲＬ（uniform resource locator）のみをさらに抽出する。
【００２６】
望ましくは、前記不適なイメージは、サイズが特定サイズ以下である場合、または縦横比が特定の比率以上である場合のうち少なくとも一つを含む。
【００２７】
望ましくは、前記システムは、前記ユーザ端末がモバイル端末機であるか否かということ、及び前記ユーザ端末の画面サイズを判断する端末機判断部をさらに含み、前記文書加工部は、最終選択された前記文書内に含まれたイメージが判断された前記画面サイズに最適化されるように変換する。
【００２８】
望ましくは、前記端末機判断部は、前記ユーザ端末から受信されたＨＴＴＰ（hypertext transfer protocol）リクエストヘッダ（request header）に基づいて、前記ユーザ端末が、モバイル端末機であるか否かを判断する。
【００２９】
本発明の他の実施形態によれば、モバイル端末機用ホットトピック・キーワード関連文書提供方法は、ホットトピック・キーワード・サーバで、ユーザ端末から、ホットトピック・キーワードビューア要請を受信し、前記受信された要請に基づいて、前記ホットトピック・キーワードと関連度が最も高い文書を最終選択し、最終選択された前記文書を、前記ユーザ端末に最適化された文書として加工し、加工された前記最適化された文書は、前記ユーザ端末に伝送される。
【００３０】
一方、モバイル端末機用ホットトピック・キーワード関連文書提供方法をコンピュータに実行させるためのプログラムは、コンピュータで読み取り可能な記録媒体に保存される。かような記録媒体は、コンピュータ・システムによって判読されるように、プログラム及びデータが保存される全ての種類の記録媒体を含む。その例としては、ＲＯＭ（read-only memory）、ＲＡＭ（random-access memory）、ＣＤ（compact disc）、ＤＶＤ（digital video disk）−ＲＯＭ、磁気テープ、フレキシブルディスク、光データ保存装置などがあり、またキャリア・ウェーブ（例えば、インターネットを介した伝送）の形態で具現されるものも含まれる。また、かような記録媒体は、ネットワークに連結されたコンピュータ・システムに分散され、分散方式で、コンピュータで読み取り可能なコードが保存されて実行される。
【発明の効果】
【００３１】
本発明の実施形態によれば、ホットトピック・キーワードを検索キーワードにして検索される検索結果のうち、ホットトピック・キーワードと最も関連した適合文書をユーザに直接提供することができる。
【００３２】
また、本発明の実施形態によれば、ホットトピック・キーワードを検索キーワードにして検索される検索結果のうち、ホットトピック・キーワードと最も関連した適合文書内のイメージを優先してモバイル端末機に適して提供することができる。
【００３３】
また、本発明の実施形態によれば、悪意の目的で文書内にホットトピック・キーワードを挿入した、実際にはホットトピック・キーワードと関係のない文書をユーザに提供することを排除することができる。
【図面の簡単な説明】
【００３４】
【図１Ａ】従来、デスクトップ・コンピュータ用に提供されているホットトピック・キーワード・サービス画面を図示した図面である。
【図１Ｂ】従来、モバイル端末機用に提供されているホットトピック・キーワード・サービス画面を図示した図面である。
【図１Ｃ】従来、モバイル端末機用に提供されているホットトピック・キーワード・サービス画面を図示した図面である。
【図１Ｄ】従来、モバイル端末機用に提供されているホットトピック・キーワード・サービス画面を図示した図面である。
【図２】本発明の実施形態によるモバイル端末機用ホットトピック・キーワード関連文書提供システムを図示した図面である。
【図３】本発明の実施形態によるホットトピック・キーワード・サーバの詳細構造を示すブロック図である。
【図４】本発明の一実施形態によるモバイル端末機用ホットトピック・キーワード関連文書提供方法を示すフローチャートである。
【図５】本発明の一実施形態による例示的なモバイル端末機用ホットトピック・キーワード関連文書提供画面を図示した図面である。
【発明を実施するための形態】
【００３５】
以下、本発明に係わる詳細な説明は、本発明が実施される実施形態を例示した図面を参照して行う。それら実施形態は、当業者が本発明の実施に十分なほどに詳細に説明している。本発明の多様な実施形態は、互いに異なるが、相互排他的である必要はない。例えば、ここに記載されている特定形状、構造及び特性は、一実施形態について、本発明の技術思想及び範囲を外れずに、他の実施形態に具現される。また、それぞれの開示された実施形態内の個別構成要素の位置または配置は、本発明の技術思想及び範囲を外れずに変更されもする。従って、以下の詳細な説明は、限定的な意味として受け止めるべきものであり、本発明の範囲は、特許請求の範囲が主張するところと均等な全ての範囲と、該特許請求の範囲によってのみ限定される。図面において、類似の参照符号は、多くの側面にわたって、同一であるか、あるいは類似した機能を指す。
【００３６】
本発明は、モバイル端末機を介したユーザのホットトピック・キーワードビューア（viewer）要請を受信し、既定のホットトピック・キーワードと係わる適合文書を選定し、イメージ及びモバイル端末機に最適に提供するためのモバイル端末機用ホットトピック・キーワード関連文書提供システム、方法及びコンピュータ読み取り可能な記録媒体を開示する。
【００３７】
本発明で、用語「適合文書」は、ホットトピック・キーワードと関連した一つ以上の文書を指す広義の概念であり、文書内にホットトピック・キーワードが含まれており、その内容がホットトピック・キーワードと係わっている複数の文書を指すこともでき、または前記複数の文書のうち、ホットトピック・キーワードに関心があるユーザの意図に最適な一つの文書のみを指すこともできる。
【００３８】
一方、後述の説明におけるモバイル端末機は、スマートフォン、移動通信端末機、ノート型パソコン、パームトップ（palmtop）コンピュータ、個人携帯情報端末（ＰＤＡ：personal digital assistant）、タブレット、ウェブパッドのように、メモリ手段を具備し、マイクロプロセッサを搭載し、演算能を備えた移動性が具備されたデジタル機器であるならば、いなかるものでも本発明によるモバイル端末機として採択される。
【００３９】
以下、本発明の属する技術分野における当業者をして、本発明を容易に実施可能とせしめるために、本発明の望ましい実施形態について、図面を参照して詳細に説明する。
【００４０】
まず、図２及び図３を参照し、本発明の実施形態によるシステムを説明し、次に、図４を参照し、本発明の実施形態による方法について詳細に説明する。
【００４１】
＜モバイル端末機用ホットトピック・キーワード関連文書提供システム＞
図２は、本発明の実施形態におけるモバイル端末機用ホットトピック・キーワード関連文書提供システムを図示した図面である。本発明の実施形態におけるモバイル端末機用ホットトピック・キーワード関連文書提供システムは、モバイル端末機を介したユーザのホットトピック・キーワードビューア要請を受信したとき、既定のホットトピック・キーワードと最も関連した適合文書を選定し、イメージを優先させ、かつ要請したモバイル端末機に最適化されるように加工して提供することができる。
【００４２】
図２を参照すると、モバイル端末機１００には、前述のように、スマートフォン１００ａやタブレット１００ｂのような機器が含まれる。ユーザは、モバイル端末機１００を利用して、ウェブサイトのアドレスを直接入力するか、あるいは他のウェブサイトからのリンクを利用して、ホットトピック・キーワード・サービスを提供する特定ウェブサイト（例えば、検索エンジン・ウェブサイト）を要請することができ、またホットトピック・キーワードビューアを要請することにより、本発明によるホットトピック・キーワードと最も関連した適合文書が、モバイル端末機１００に最適化された形態で提供される。
【００４３】
通信ネットワーク２００は、有線・無線の通信様態に関わらず構成され、短距離通信網（ＰＡＮ：personal area network）、近距離通信網（ＬＡＮ：local area network）、都市圏通信網（ＭＡＮ：metropolitan area network）、広域通信網（ＷＡＮ：wide area network）など多様な通信網で構成されもする。また、前記通信ネットワーク２００は、公知のワールドワイドウェブ（ＷＷＷ：world wide web）でもあり、ＩｒＤＡ（infrared data association）またはブルートーゥース（Bluetooth（登録商標））のように、短距離通信に利用される無線送信技術を利用することもできる。
【００４４】
ホットトピック・キーワード・サーバ３００は、モバイル端末機１００からのウェブサイト要請を受信し、モバイル端末機であるか否かの判断に基づいて、要請された特定ウェブサイトを提供する。また、ホットトピック・キーワード・サーバ３００は、モバイル端末機１００からのホットトピック・キーワードビューア要請に基づいて、ホットトピック・キーワードに最も関連した適合文書を選択し、選択された文書を、モバイル端末機１００に最適化されるように加工して提供する。一方、ホットトピック・キーワード・サーバ３００は、毎日指定された基準時間内に生産されたニュース、カフェ、ブログ、またはミートゥデイ（me２day）やツイッター（米国登録商標）などＳＮＳ（social networking service）の文書のうち、高い頻度で示すキーワードを抽出し、抽出されたキーワードが文書内に現れる頻度と増加率とを考慮したロジックによって点数を付けて順位を決めた結果、高い順に羅列される一部キーワードをホットトピック・キーワードにして保存する機能をさらに有する。
【００４５】
＜ホットトピック・キーワード・サーバ＞
図３は、本発明の一実施形態におけるホットトピック・キーワード・サーバの詳細構造を示すブロック図である。図３を参照すると、本発明の一実施形態におけるホットトピク・キーワード・サーバ３００は、送受信部３１０、端末機判断部３２０、文書選択部３３０、文書加工部３４０及びデータベース（ＤＢ）３５０を含んで構成される。
【００４６】
送受信部３１０は、モバイル端末機１００と、各種情報を送受信する機能を有する。具体的には、送受信部３１０は、モバイル端末機１００から特定ウェブサイトの要請、端末機を判断するための追加的な情報、及びホットトピック・キーワードビューアの要請を受信する。送受信部３１０は、モバイル端末機１００に、特定ウェブサイトの要請に基づきウェブサイトを伝送し、ホットトピック・キーワードビューアの要請に基づいて文書加工部で最終的に加工された文書を伝送するが、前述の情報に限定されるものではない。
【００４７】
端末機判断部３２０は、モバイル端末機１００から受信された情報に基づいて、モバイル端末機１００が、モバイル端末機用ホットトピック・キーワードビューアを提供することができるモバイル端末機に該当するか否かを判断する。モバイル端末機の判断方式は多数存在し、端末機判断部３２０は、多数の方式を取捨選択し、実行することができる。まず、モバイル端末機の判断方式として、ＨＴＴＰ（hypertext transfer protocol）リクエスト（request）に基づいた判断方式を有することができる。モバイル端末機１００を利用して、特定ウェブサイトを要請する場合、モバイル端末機１００は、当該ウェブサイトに対応するサーバーにＨＴＴＰリクエストを伝送し、例示的なＨＴＴＰリクエストヘッダ（header）は、以下の表１の通りである。
【００４８】
【表１】
2014132458.tif 000003
【００４９】
表１に図示された例示的なＨＴＴＰリクエストヘッダは、多様な情報を含んでいるが、このうち、端末機判断部３２０と係わる情報は、ユーザのウェブブラウザの種類、運用体制の種類及びバージョン情報を含んでいるUser−Agentである。前記表１で、User−Agentについて述べれば、ＨＴＴＰリクエストを伝送したモバイル端末機１００は、アイフォン（iPhone）であり、運用体制バージョンは、iPhone ＯＳ ４．３．５であり、使用しているブラウザは、Mozillaバージョン５．０であるということを確認することができる。すなわち、端末機判断部３２０は、ＨＴＴＰリクエスト、特に、ＨＴＴＰリクエストヘッダのうち、User−Agentに基づいて、モバイル端末機用ホットトピック・キーワードビューアを提供することができるモバイル端末機に該当するか否かを判断することができ、例えば、表１の場合、運用体制がiPhone ＯＳであるということに基づいて、または端末機がアイフォンであるということに基づいて、モバイル端末機用ホットトピック・キーワードビューアを提供することができるモバイル端末機に該当すると判断する。他の例として、運用体制がWindows （登録商標）ＮＴのように、モバイル端末機に使用されない運用体制である場合には、モバイル端末機用ホットトピック・キーワードビューアを提供することができるモバイル端末機に該当しないと判断する。
【００５０】
一方、他のモバイル端末機の判断方式として、特定アプリケーション利用に基づいた判断方式を挙げることができる。アンドロイド（Android）（登録商標）またはiPhone（登録商標） ＯＳなど、モバイル端末機専用ＯＳを搭載したモバイル端末機のために、多様なアプリケーションが開発及び配布されているし、この中にはウェブブラウザの機能を有するアプリケーションも含まれる。かようなアプリケーションを利用して、自動的に、またはウェブサイトのアドレスを入力し、ホットトピック・キーワード・サーバ３００に特定ウェブサイトを要請するとき、ＨＴＴＰリクエスト以外にも、当該アプリケーションを利用して要請したという追加的な情報を伝送することができ、端末機判断部３２０は、伝送された追加的な情報に基づいて、特定アプリケーションを介してウェブサイトを要請したということを確認することができる。すなわち、特定アプリケーションを介してウェブサイトを要請した場合、当該端末機が、モバイル端末機用ホットトピック・キーワードビューアを提供することができるモバイル端末機に該当すると判断する。
【００５１】
さらに他のモバイル端末機の判断方式としては、検索エンジン・ウェブサイトを要請したＩＰ（internet protocol）アドレスに基づいた判断を挙げることができる。一般的に、３ＧまたはＬＴＥなど移動通信社で提供する移動通信データ伝送規格を利用するＩＰアドレスは、移動通信社であらかじめ割り当てておきし、端末機判断部３２０は、ウェブサイトを要請した端末機のＩＰアドレスが、あらかじめ割り当てられたＩＰアドレスの範囲内に含まれるか否かに基づいて、当該端末機がモバイル端末機用ホットトピック・キーワードビューアを提供することができるモバイル端末機に該当するか否かを判断することができる。
【００５２】
端末機判断部３２０は、前述のモバイル端末機の判断方式のうちいずれか一つに限定されるものではなく、前述のモバイル端末機の判断方式のうち一つ以上を組み合わせて使用することもでき、またはそれと同一であるか、あるいは類似した機能を有する公知された多様な方法を取捨選択してその機能を実行することができる。
【００５３】
また、端末機判断部３２０は、モバイル端末機用ホットトピック・キーワードビューアを提供することができるモバイル端末機からのウェブサイト要請が伝送されたか否かの判断機能に加え、ウェブサイトを要請したモバイル端末機の画面サイズをさらに判断することができる。画面サイズを判断する方式としては、ＨＴＴＰリクエストヘッダに含まれた端末機種類に基づいて判断する方式や、アプリケーション実行時、当該端末機の画面サイズを獲得して伝送する追加情報に基づいて判断する方式などがあるが、前述の例に限定されるものではない。
【００５４】
端末機判断部３２０によって、ウェブサイトを要請した端末機が、モバイル端末機用ホットトピック・キーワードビューアを提供することができるモバイル端末機に該当すると判断された場合、要請されたウェブサイトは、送受信部３１０を介して、モバイル端末機１００に提供される。そのとき、要請されたウェブサイトは、モバイル端末機用に制作されたウェブサイトであり、ホットトピック・キーワードビューアを要請することができるメニューを含んでいる。
【００５５】
文書選択部３３０は、モバイル端末機１００から、ホットトピック・キーワードビューア要請が受信された場合、データベース３５０に保存されたホットトピック・キーワードに基づいて、ホットトピック・キーワードに対応する文書のうち、関連度が最も高い適合文書を選択する。基本的に、文書選択部３３０は、ホットトピック・キーワードに基づいた検索結果として導き出された文書のうち、クリック数が最も多い文書を、関連度が最も高い文書として選択する。ただし、悪意によって特定文書のクリック数が増やされている場合や、イメージを優先させて提供するために、次のような追加的な選択機能をさらに付加することができる。なお、文書選択部３３０は、ホットトピック・キーワードのうち最も順位が高い順に、特定件数（例えば、１０個）を抽出し、それぞれのホットトピック・キーワードについて、最もクリック数が多い文書１件ずつを選択することができる。
【００５６】
文書選択部３３０の追加的な選択機能として、まず、文書のうち信頼度が高い言論社のウェブサイトなどその出所が信頼に足ると判断される文書の出所を含んでいるホワイトリスト（whitelist）、及びその出所が疑わしかったり、あるいは以前に悪意的なアクションを行った文書の出所を含んでいるブラックリスト（blacklist）に基づいて、クリック数が最も多い文書の出所がブラックリストに含まれている場合、それを排除するか、あるいはホワイトリストに含まれている場合にのみ選択するように、クリック数が最も多い文書であっても、フィルタリング（filtering）を介した追加的な選択をさらに行うことができる。一方、ホワイトリスト及びブラックリストは、自動的にまたは手作業によって収集され、データベース３５０に保存されもする。
【００５７】
次に、文書選択部３３０は、クリック数が最も多い文書を選択するのではなく、クリック数が最も多い順に、特定件数（例えば、５件または１０件）、またはクリック数が特定数値以上の文書を一次選択し、一次選択された文書のうち、イメージが含まれており、クリック数が最も多い文書を最終選択することができる。または、文書選択部３３０は、一次選択された文書内に含まれたイメージを比較し、同一であるか、あるいは類似していないイメージが含まれた文書を除外した残りの文書のうち、クリック数が最も多いか、あるいは言論社の公式ウェブサイトから生成したニュース文書を、ユーザ個人が生成した文書に優先させて最終選択することができる。一次選択された文書内に、イメージが含まれた文書が存在しないこともあり、そのときには、文書選択部３３０は、一次選択された文書のうち最終選択を行うか、あるいはイメージが含まれた文書を見つけ出すまで一次選択される文書の件数を増やすか、あるいはクリック数を減少させることができる。
【００５８】
または、文書選択部３３０は、最終選択した文書に含まれたイメージを確認し、もしイメージが含まれていないか、または含まれたイメージが、モバイル端末機で表示されるのに適するサイズ（例えば、横４８０ピクセルなど）より小さいか、あるいは横縦比率が、モバイル端末機で表示するのに適切ではない場合（例えば、縦横の比率が１６：９以上である場合など）、一次選択された文書のうち、前記条件に該当する（すなわち、含まれたイメージがモバイル端末機での表示に適するサイズ以上であり、縦横の比率がモバイル端末機で表示するのに適切）イメージのみを抽出するか、あるいは前記条件に該当するイメージのＵＲＬ（uniform resource locator）を抽出することもできる。ここで、前記条件に該当するイメージを含む文書は、言論社の公式ウェブサイトでなく、カフェやブログやＳＮＳなどユーザ個人が生成した文書の場合でもよい。
【００５９】
文書選択部３３０によって、ホットトピック・キーワードと最も関連した適合文書として最終選択された文書は、文書加工部３４０によって、モバイル端末機１００に最適な形態に加工される。
【００６０】
文書加工部３４０は、文書選択部３３０で最終選択された文書に、イメージが含まれている場合、当該イメージのサイズを、端末機判断部３２０で判断したモバイル端末機１００の画面サイズに最適に変更する。例えば、当該イメージのサイズを、モバイル端末機１００の画面サイズのうち、横サイズまたは縦サイズに合わせてスケーリング（scaling）を行うことができ、横サイズまたは縦サイズのうち、いずれに合わせるかは、モバイル端末機が横に置かれているのか、あるいは縦で置かれているかを判断するセンサの値に基づいて決定される。
【００６１】
また、文書加工部３４０は、イメージを配置して残る領域、またはイメージの上にオーバーラップされるように、ホットトピック・キーワード及び最終選択された文書の内容のうち一部を、さらに表示するように変更することができる。一方、抽出された、あるいはそのＵＲＬ（uniform resource locator）が示すイメージが最終選択した文書と別個の文書として抽出された場合、文書加工部３４０は、イメージ及び別個の文書に含まれた内容のうち一部を、一画面に共に表示することができるように変更することができる。さらに、ユーザの反応をさらに誘導するために、当該ホットトピック・キーワードまたは最終選択された文書と係わる情報をさらに表示するように変更することができる。例えば、ホットトピック・キーワードが特、定映画俳優Ｃのトークショー出演と係わるキーワードである場合、映画俳優Ｃのプロフィールや出演映画リストなどを、関連情報として追加して表示し、ユーザの選択を誘導することもできる。
【００６２】
文書加工部３４０によって、モバイル端末機１００に最適化されるように加工された文書は、送受信部３１０を介して、モバイル端末機１００に提供される。図５は、本発明の一実施形態による例示的なモバイル端末機用ホットトピック・キーワード関連文書提供画面である。図５を参照すると、モバイル端末機１００の横サイズに合わせてスケーリングされたイメージが表示され、残りの領域に、ホットトピック・キーワード、文書の出所、文書の作成時点そして文書内容の一部が表示される。文書加工部３４０は、モバイル端末機１００のユーザが選択する場合、当該文書にリンクされるように文書をさらに加工することができ、また多数のホットトピック・キーワードについて、ユーザが便利に見られるように、フリッカリング（flickering）のような簡単なタッチ動作で、多数のホットトピック・キーワードと係わって、最終的に加工された文書間で転換されるように加工されもする。
【００６３】
データベース（ＤＢ）３５０は、前述のホワイトリスト及びブラックリストを含んでもよく、それ以外にも、ホットトピック・キーワード、各ホットトピック・キーワードと係わって検索される文書及びクリック回数、各モバイル端末別画面サイズに係わる情報、モバイル端末機から受信した情報、検索エンジン・ウェブサイト要請によって提供されるモバイル端末機用ウェブサイト情報、文書加工部によって最終的に加工された文書など、本発明の実行に必要ないかなる情報もデータベース３５０に臨時的または永久的に保存され、データベース３５０に保存された情報は、ホットトピック・キーワード・サーバ３００の各構成要素で、必要によって抽出されたり、あるいは加工されもする。
【００６４】
＜モバイル端末機用ホットトピック・キーワード関連文書提供方法＞
図４は、モバイル端末機用ホットトピック・キーワード関連文書の提供方法を示すフローチャートである。図４を参照すれば、ユーザ端末から、特定ウェブサイトに係わる要請が受信されれば（Ｓ４０１）、端末機判断部では、ユーザ端末から受信された情報に基づいて、ウェブサイトを要請したユーザ端末が、モバイル端末機用ホットトピック・キーワードビューアを提供することができるモバイル端末機に該当するか否かを判断する（Ｓ４０２）。
【００６５】
一方、Ｓ４０２で、端末機判断部は、ユーザ端末がモバイル端末機に該当するとする判断した場合、端末の画面サイズ情報を、追加してさらに判断することができ、送受信部を介して要請したモバイル端末機用ウェブサイトがユーザ端末に提供される（Ｓ４０３）。Ｓ４０３で提供されるモバイル端末機用ウェブサイトには、ユーザの選択によって、ホットトピック・キーワードビューアを要請することができるメニューが含まれる。
【００６６】
その後、ユーザ端末から、ホットトピック・キーワードビューアに係わる要請が受信された（Ｓ４０４）場合、文書選択部は、ホットトピック・キーワードに対応する文書のうち、最も関連度が高い適合文書を選択する（Ｓ４０５）。前述のように、文書選択部は、Ｓ４０５で、基本的にクリック数が最も多い文書を適合文書として選択することができ、ホワイトリスト及びブラックリストに基づいたフィルタリングや、一次選択及びイメージ含有に基づいた最終選択、または最終選択された文書の出所などに基づいた追加的な選択機能をさらに実行することができる。
【００６７】
Ｓ４０５で、選択された文書は、文書加工部を介して、ユーザ端末に最適化されるように加工される（Ｓ４０６）。Ｓ４０６では、前述のようにユーザ端末の画面サイズに基づいて選択された文書に含まれたイメージをスケーリングし、イメージが配置されていない領域やイメージの上にオーバーラップされるように、ホットトピック・キーワード及び選択された文書の内容のうち一部をさらに表示するか、当該ホットトピック・キーワードまたは最終選択された文書と係わる情報をさらに表示するか、ユーザ端末のユーザ選択に基づいて、当該文書にリンクされるようにするか、あるいは多数のホットトピック・キーワードについて、ユーザが便利に見られるように、フリッカリングのような簡単なタッチ動作で、多数のホットトピック・キーワードと係わって、加工された文書間で転換されるように加工されもする。
【００６８】
このように、Ｓ４０６で加工された文書は、送受信部を介して、ユーザ端末に提供される（Ｓ４０７）。
【００６９】
一方、図４で図示されていないが、ホットトピック・キーワード・サーバは、モバイル端末機用ホットトピック・キーワード関連文書提供方法とは独立して、毎日指定された基準時間内に生産されたニュース、カフェ、ブログまたはＳＮＳの文書のうち高い頻度で示すキーワードを抽出し、抽出されたキーワードが、文書内に現れる頻度と増加率とを考慮したロジックによって、点数を付けて順位を決定した結果、高い順に羅列される一部キーワードをホットトピック・キーワードにして保存してもよい。
【００７０】
本発明の一実施形態におけるモバイル端末機用ホットトピック・キーワード関連文書提供方法は、多様なコンピュータ手段に実行させるためのプログラム命令形態で具現され、コンピュータ読み取り可能な媒体に記録されもする。前記コンピュータ読み取り可能な媒体は、プログラム命令、データファイル、データ構造などを単独で、または組み合わせて含んでもよい。前記媒体に記録されるプログラム命令は、本発明のために特別に設計されて構成されたものや、コンピュータ・ソフトウェア当業者に公知されて使用可能なものでもある。コンピュータ読み取り可能な記録媒体の例としては、ハードディスク、フロッピー（登録商標）ディスク及び磁気テープのような磁気媒体（magnetic media）；ＣＤ（compact disc）−ＲＯＭ（read-only memory）、ＤＶＤ（digital versatile disc）のような光記録媒体（optical media）；フロプティカルディスク（floptical disk）のような磁気・光媒体（magneto-optical media）；及びＲＯＭ（read-only memory）、ＲＡＭ（random-access memory）、フラッシュメモリのようなプログラム命令を保存して実行するように特別に構成されたハードウェア装置；が含まれる。プログラム命令の例には、コンパイラによって作われるような機械語コードだけではなく、インタープリタなどを使用して、コンピュータによって実行される高級言語コードを含む。前述のハードウェア装置は、本発明の動作を実行するために、一つ以上のソフトウェア・モジュールとして作動するように構成され、その逆も同様である。
【００７１】
本発明はまた、一つ以上の実施形態の用語で、少なくとも部分的に説明される。本発明の実施形態は、本発明、その側面、その特徴、その概念、及び／またはその例を示すためにここで使われる。本発明を具現する装置、製造の品物、マシン、及び／またはプロセスの物理的な実施形態は、ここに説明された一つ以上の実施形態を参照して説明された一つ以上の側面、特徴、概念、例などを含む。さらに、全体図面で、実施形態は、前記同一であるか、あるいは異なる参照番号を使用する前記同一であるか、類似して命名された機能、段階、モジュールなどを統合することができ、それと共に、前記機能、段階、モジュールなどは、前記同一であるか、あるいは類似した機能、段階、モジュールは、異なったものでもある。
【００７２】
以上、具体的な構成要素のような特定事項、限定された実施形態及び図面によって説明したが、それは、本発明のさらに全般的な理解を助けるために提供されたものであり、本発明は、前記の実施形態に限定されるものではなく、本発明が属する分野で通常的な知識を持った者であるならば、かような記載から多様な修正及び変形が可能である。
【００７３】
従って、本発明の思想は、説明された実施形態に限って決まるものではなく、特許請求の範囲だけではなく、該特許請求の範囲と均等であったり、等価的変形がある全てのものは、本発明思想の範疇に属するものである。
【産業上の利用可能性】
【００７４】
本発明のモバイル端末機用ホットトピック・キーワード関連文書提供システム、方法及びコンピュータ読み取り可能な記録媒体は、例えば、情報サービス関連の技術分野に効果的に適用可能である。
【符号の説明】
【００７５】
１００    モバイル端末機
１００ａ    スマートフォン
１００ｂ    タブレット
２００    通信ネットワーク
３００    ホットトピック・キーワード・サーバ
３１０    送受信部
３２０    端末機判断部
３３０    文書選択部
３４０    文書加工部
３５０    データベース（ＤＢ）
【図１Ａ】
2014132458.tif 000004
【図１Ｂ】
2014132458.tif 000005
【図１Ｃ】
2014132458.tif 000006
【図１Ｄ】
2014132458.tif 000007
【図２】
2014132458.tif 000008
【図３】
2014132458.tif 000009
【図４】
2014132458.tif 000010
【図５】
2014132458.tif 000011